(57)【要約】【課題】大量データを保存することなく、警報状態の警報発生要因を判定し、その警報発生要因毎の警報発生回数を把握することができる警報表示装置を得る。【解決手段】プラントから入力手段１００に入力される監視データについて、警報判定手段１０１でしきい値と比較することにより、警報状態にある警報発生要因を判定し、この判定された警報発生要因について警報発生回数カウント手段１０４により警報発生要因毎の警報発生回数をカウントし、判定された警報発生要因が従属する警報窓を警報窓表示手段１０３により警報窓群表示部２００に表示状態を変えて表示し、カウントした警報発生回数を含む警報メッセージを警報メッセージ表示手段１０２により警報メッセージ表示部２０１に表示するようにした。【選択図】図１
2008046925.tif 000002
【特許請求の範囲】
【請求項１】
プラントの複数の警報発生要因からの監視データが入力される入力手段、この入力手段によって入力された監視データをしきい値と比較することにより上記プラントの警報発生要因が警報状態か否かを判定する警報判定手段、この警報判定手段によって警報状態と判定された警報発生要因について警報発生要因毎の警報発生回数をカウントする警報発生回数カウント手段、それぞれ複数の警報発生要因が従属するように定義された複数の警報窓を整列して表示し、上記警報判定手段により警報状態と判定された警報発生要因が従属する警報窓の表示状態を変化させる警報窓表示手段、及び上記警報判定手段により警報状態と判定された警報発生要因に対応する警報メッセージ及び上記カウントされた警報発生回数を表示する警報メッセージ表示手段を備えたことを特徴とする警報表示装置。
【請求項２】
警報状態の発生有無に係わらず、上記警報窓をウインドゥ表示し、この表示された警報窓が選択されることにより、上記選択された警報窓に従属する警報発生要因及びその警報発生回数をウインドゥ表示する警報窓要因表示手段、及び上記警報発生回数をリセットする警報発生回数リセット手段を備えたことを特徴とする請求項１記載の警報表示装置。
【請求項３】
上記警報発生要因毎の警報発生回数のカウント開始、終了の期間を指定する警報発生カウント指定期間設定手段を備え、上記警報発生回数カウント手段は、上記警報発生カウント指定期間設定手段により設定された期間で、上記警報発生回数のカウントを行うことを特徴とする請求項１または請求項２記載の警報表示装置。
【請求項４】
プラントの運転フェーズを判定する運転フェーズ判定手段、上記警報発生要因毎の警報発生回数を、プラントの運転フェーズ毎にカウントする運転フェーズ対応警報発生カウント手段、及びこの運転フェーズ対応警報発生カウント手段によってカウントされたカウント値を過去の上記運転フェーズでのカウント値と比較表示する運転フェーズ対応警報発生カウント比較表示手段を備えたことを特徴とする請求項１〜請求項３のいずれかに記載の警報表示装置。
【請求項５】
上記警報発生要因毎の警報発生回数のカウントを開始させるトリガーとして特定の警報発生要因を指定するトリガー指定手段を備え、上記警報発生回数カウント手段は、上記トリガー指定手段で指定された特定の警報発生要因の発生後に上記警報発生回数のカウントを開始することを特徴とする請求項１または請求項２記載の警報表示装置。
【請求項６】
上記警報発生回数が所定値を越えたことを検出するカウント値オーバー検出手段を備え、上記カウント値オーバー検出手段により検出された警報発生要因及びその警報発生回数のカウント値が表示されることを特徴とする請求項１〜請求項５のいずれかに記載の警報表示装置。
【発明の詳細な説明】
【技術分野】
【０００１】
この発明は、例えば火力発電プラント等のプラントの警報を監視する警報表示装置に関するものである。
【背景技術】
【０００２】
例えば発電プラントにおける警報表示には、プラントの警報を監視するために必要な警報情報画面を表示してプラントの監視を行う手段が採用されている。発電プラントは、プラントの規模が大きくかつ複雑であり、プラント監視システムにおいて、プラントの異常を検知して運転員に知らせる警報項目が詳細多岐に渡るため、プラントの異常を迅速に判断する種々の方法が工夫されている。
特許文献１には、従来の発電プラントのプラント監視で、プラント警報の発生履歴や関連するアナログプロセス量を時系列に保存することで、動作傾向の把握や異常原因の究明を可能にしたものが記載されている。
【０００３】
【特許文献１】特開平１０−１２４２２１号公報（第３〜６頁、図１）
【発明の開示】
【発明が解決しようとする課題】
【０００４】
特許文献１では、時系列の大量の警報発生履歴と膨大なプロセス量データを保存する必要がある点、及びこれらの大量データを元にした警報把握が必要になるという点に問題があった。
【０００５】
この発明は、上記のような課題を解決するためになされたものであり、大量データを保存することなく、警報状態の警報発生要因を判定し、その警報発生要因毎の警報発生回数を把握することができる警報表示装置を得ることを目的としている。
【課題を解決するための手段】
【０００６】
この発明に係わる警報表示装置においては、プラントの複数の警報発生要因からの監視データが入力される入力手段、この入力手段によって入力された監視データをしきい値と比較することによりプラントの警報発生要因が警報状態か否かを判定する警報判定手段、この警報判定手段によって警報状態と判定された警報発生要因について警報発生要因毎の警報発生回数をカウントする警報発生回数カウント手段、それぞれ複数の警報発生要因が従属するように定義された複数の警報窓を整列して表示し、警報判定手段により警報状態と判定された警報発生要因が従属する警報窓の表示状態を変化させる警報窓表示手段、及び警報判定手段により警報状態と判定された警報発生要因に対応する警報メッセージ及びカウントされた警報発生回数を表示する警報メッセージ表示手段を備えたものである。
【発明の効果】
【０００７】
この発明は、以上説明したように、プラントの複数の警報発生要因からの監視データが入力される入力手段、この入力手段によって入力された監視データをしきい値と比較することによりプラントの警報発生要因が警報状態か否かを判定する警報判定手段、この警報判定手段によって警報状態と判定された警報発生要因について警報発生要因毎の警報発生回数をカウントする警報発生回数カウント手段、それぞれ複数の警報発生要因が従属するように定義された複数の警報窓を整列して表示し、警報判定手段により警報状態と判定された警報発生要因が従属する警報窓の表示状態を変化させる警報窓表示手段、及び警報判定手段により警報状態と判定された警報発生要因に対応する警報メッセージ及びカウントされた警報発生回数を表示する警報メッセージ表示手段を備えたので、警報窓の表示状態の変化と警報メッセージの内容から、警報発生要因を明確にすると共に、その警報発生要因がどの程度の頻度で発生したかの状況を把握することができる。
【発明を実施するための最良の形態】
【０００８】
実施の形態１．
図１は、この発明の実施の形態１による警報表示装置を示すブロック図である。
図１において、プラント１０は、火力発電プラントなどのプラントである。入力装置１１は、プラント１０の複数の監視ポイント（警報発生要因）からアナログ信号や接点信号等の監視データを取り込む。警報表示装置は、計算機２０により構成される。計算機２０は、表示装置２１に接続され、次のような内部構成である。
入力手段１００は、入力装置１１から監視データを入力する。警報判定手段１０１は、入力手段１００に入力された監視データを予め規定された警報発生要因別の警報しきい値と比較することによって、プラントの異常すなわち警報状態にある警報発生要因を判定する。警報発生回数カウント手段１０４は、警報判定手段１０１内での警報判定結果により、警報発生要因毎の警報発生回数をカウントする。警報窓表示手段１０３は、それぞれ複数の警報発生要因が従属するように定義された複数の警報窓を、表示装置２１の警報窓群表示部２００に整列して表示し、警報判定手段１０１が判定した警報発生要因が従属する警報窓の表示状態を変えるようにする。
警報メッセージ表示手段１０２は、警報判定手段１０１が判定した警報発生要因の内容及び警報発生回数カウント手段１０４によってカウントされた当該警報発生要因の警報発生回数を、表示装置２１の警報メッセージ表示部２０１に警報メッセージとして一覧表示する。
警報情報データベース１５１には、警報判定手段１０１が警報として判定する警報発生要因別の警報しきい値が予め設定され、格納されている。警報発生カウント情報記憶部１５２には、警報発生要因毎の警報発生カウント情報が、本日分の発生回数とこれまでの累計値の双方が格納されている。
【０００９】
図２は、この発明の実施の形態１による警報表示装置の動作を示すフローチャートである。
【００１０】
図３は、この発明の実施の形態１による警報表示装置の画面表示例を示す図である。
図３において、表示装置２１の画面上部に、プラントの複数の監視ポイント（警報発生要因）を従属させた警報窓を複数整列して表示する警報窓群表示部２００を設け、表示装置２１の画面下部に警報メッセージを表示する警報メッセージ表示部２０１を設けている。
警報窓群表示部２００上の警報窓群は、プラントの複数の監視ポイントに対応した警報窓を複数設けているもので、最上段には、親となる警報窓が配置され、その下にその親に従属する子の警報窓が配置されている。警報窓群表示部２００上の網目の入った警報窓（表示状態を変えた警報窓）は、警報発生要因が発生した警報窓であり、その発生時刻は、警報メッセージ表示部２０１に示されるとおりであり、予め決められた所定時間、表示状態を変えて表示される。
【００１１】
次に、実施の形態１による警報表示装置の動作について、図２にしたがって説明する。
図２で、まずプラント１０からの監視データを入力してプラント１０に警報が発生したかどうかを検出する。すなわち、ステップＳ１で、入力手段１００が所定の周期でプラント１０から計測されてくる監視データを取り込み、警報判定手段１０１へ出力する。ステップＳ２で、警報判定手段１０１は、入力された監視データに対して、１点ずつ予め設定された警報発生要因別の警報しきい値を警報情報データベース１５１から読み出し、入力された監視データとの比較を行う。データが所定の上下限値を超えていれば、その警報発生要因による警報と判定する。
【００１２】
このようにして警報発生が有ったかどうかをステップＳ３で判断し、警報発生が無ければ、この処理を終える。
警報発生が有った場合は、ステップＳ４で、当該警報発生要因に対応する警報発生回数のカウント情報を警報発生カウント情報記憶部１５２から取り出し、１つカウントアップした値を警報発生カウント情報記憶部１５２へ書き込む。なお、警報発生カウント情報は、警報発生要因毎に、本日分の発生回数とこれまでの累計値の双方を持ち、カウントアップ処理もこれに応じて処理を行う。
次いで、ステップＳ５で、警報判断手段１０１が警報項目に警報発生時刻と警報発生要因内容、当該警報発生要因の発生回数を含む警報メッセージを付加すると共に、チャイムやブザーでも告知する。
【００１３】
次いで、ステップＳ６で、警報メッセージ表示手段１０２が警報項目を発生順序に並べて表示装置２１の警報メッセージ表示部２０１に表示し、新規に発生した警報メッセージに対して画面上の表示色を、例えば赤くしたり、フリッカさせるなど表示を変化させて、運転員に警報が発生したことを告知する。
さらにステップＳ７において、警報窓表示手段１０３が警報窓群表示部２００で、発生した警報発生要因が従属する警報窓を、例えば赤くしたり、フリッカさせるなど表示を変化させて、運転員に警報が発生したことを告知する。
以上説明した処理の流れは、刻々変化するプラントの状態に応じて繰り返し行われる。
【００１４】
次に、この発明の表示画面例について図３を用いて説明する。
図３の表示装置２１の画面上部に、プラントの複数の監視ポイント（警報発生要因）を従属させた警報窓を複数有する警報窓群を整列して表示する警報窓群表示部２００を設け、警報発生により警報窓群表示部２００に設けた警報窓が状態変化することにより、警報発生要因が従属する警報窓を確認することができるようにしたものである。
【００１５】
また、表示装置３１の画面下部に警報メッセージを表示する警報メッセージ表示部２０１を設け、警報発生により警報メッセージ表示部２０１内に警報メッセージを表示することで、警報窓に従属するどの警報発生要因が発生したのか、及び警報発生要因毎の警報発生回数を、本日分及びこれまでの累計値の双方として表示することで、警報発生頻度を確認することができる。
【００１６】
実施の形態１によれば、警報発生により、警報窓の色替えと警報メッセージの内容から、警報発生設備、個別警報発生要因を明確にすると共に、当該個別警報発生要因が本日、及びこれまでの累計でどの程度発生したのか状況把握することが可能であり、例えば、本日数回発生しているものについては、警報判定手段の改善による発生頻度抑制などに役立てることが可能となる。
【００１７】
実施の形態２．
図４は、この発明の実施の形態２による警報表示装置を示すブロック図である。
図４においては、図１の構成に、警報窓を点消灯するための警報窓要因情報を格納した警報窓要因データベース１５３、警報窓要因データベース１５３の警報窓要因情報を表示する警報窓要因表示手段１０６、警報発生回数のカウントをリセットする警報発生カウントリセット手段１０７を加えたものである。
【００１８】
図５は、この発明の実施の形態２による警報表示装置の画面表示例を示す図である。
図５において、２００、２０１は図４におけるものと同一のものである。図５では、警報窓を表示し、これから警報窓を選択操作させる警報窓要因表示ウィンドウ２５１と、警報窓要因表示ウィンドウ２５１から選択した警報窓に従属する警報発生要因及び各警報発生要因毎の警報発生回数を一覧表示する警報窓要因一覧表示ウィンドウ３０１が示されている。
なお、警報メッセージエリア２０１には、警報窓選択中かつ警報発生中の警報窓に従属する警報発生要因の内容、時刻、警報発生回数等を示すメッセージを表示する。
【００１９】
実施の形態２は、図４の構成により、現在の警報発生中のものに限らず、警報窓単位で発生し得る全警報発生要因の内訳と、警報発生要因毎の警報発生回数を把握することが可能となる。
また、警報発生カウントリセット手段１０７により、警報窓単位、警報窓に従属する警報発生要因単位で、例えばプラント定検明けの運転に入るタイミングなど所望のタイミングで警報発生回数をリセットすることが可能となる。
【００２０】
図５で、警報窓要因表示ウィンドウ２５１は、警報窓要因表示ウィンドウの呼び出しボタン選択操作４０１で呼び出され、この警報窓要因表示ウィンドウ２５１において、操作選択４０２で警報発生要因を表示させたい警報窓を選択し、表示選択操作４０３を実行すると、選択した警報窓に従属する警報発生要因、及び各警報発生要因毎の警報発生回数を警報窓要因一覧表示ウィンドウ３０１内に一覧表示する。
また、警報窓要因一覧表示ウィンドウ３０１内で、任意の警報発生要因の選択操作４０４を行い、個別カウンタリセット操作４０５を行うことで、当該個別警報発生要因の警報発生回数のカウントをリセットすることが可能である。
この他に、警報窓単位の従属する警報発生要因全ての警報発生回数のカウントや全警報窓の全警報発生要因の警報発生回数のカウントをリセットすることも可能である。
また、警報発生回数の多い順に並び替え表示をするなども可能である。
【００２１】
実施の形態２によれば、現在発生中の警報の個別警報発生要因のみならず、警報窓に従属する警報発生要因全てに対する警報発生状況を発生頻度の多いもの、少ないもの順等に並び替え、設備内での警報発生頻度、傾向をより把握し易い情報として提供することが可能である。
また、警報発生回数のカウントをリセットする機能を有することで、任意のタイミングから再度、警報発生回数のカウントを開始することが可能となる。
【００２２】
実施の形態３．
図６は、この発明の実施の形態３による警報表示装置を示すブロック図である。
図６において、図４の警報発生カウントリセット手段の代わりに、警報発生回数のカウントの指定期間の設定及びこのカウントのリセットを行う警報発生カウント指定期間設定／リセット手段１０８を設けたものである。
【００２３】
図７は、この発明の実施の形態３による警報表示装置の画面表示例を示す図である。
図７において、２００、２０１、２５１は図５におけるものと同一のものである。指定期間設定ウィンドウ３０２は、操作選択４０３で呼出される。図７では、警報発生回数のカウントの指定期間の設定及びカウントのリセットについて示している。
【００２４】
実施の形態３では、オペレータが警報窓に従属する個別警報発生要因毎、または警報窓毎、あるいは全警報窓の全警報発生要因一括での警報発生回数のカウントを行う開始、終了日時を指定及びこのカウントをリセットする手段である警報発生カウント指定期間設定／リセット手段１０８を設け、これに基づいた時刻管理により、警報発生時のカウント処理を警報発生回数カウント手段１０４で行う。
以降は、実施の形態２と同様の処理を行う。これにより、運転状況等に応じて任意で警報発生頻度の統計、把握を行うことが可能となる。
【００２５】
図７で、警報窓要因表示の呼び出しボタン選択操作４０１で呼び出された警報窓要因表示ウィンドウ２５１において、操作選択４０２で警報発生要因を表示させたい警報窓を選択し、指定期間設定ウィンドウ３０２を呼び出すための選択操作４０３を実行すると、選択した警報窓に従属する警報発生要因、及び各警報発生要因毎の警報発生回数のカウント処理を行う開始日、終了日を、指定期間設定ウィンドウ３０２内に一覧表示する。
また、指定期間設定ウィンドウ３０２内の入力フィールド４０４で、任意の開始日、終了日を入力指定し、該当する個別要因エリア４０５を選択後、個別指定期間セット操作４０６を行うことで、入力フィールド４０４で指定した開始日、終了日が個別要因エリア４０５で指定した該当個別警報発生要因に対して設定され、現在カウント処理中のカウンタが一旦リセットされ、指定された期間内でカウント処理が行われる。
なお、入力フィールド４０４で指定した開始日、終了日を当該警報窓に従属する全警報発生要因に対して設定することや、全警報窓に従属する全警報発生要因に対して実施することも可能である。
また、入力フィールド４０４に対し、全てゼロを入力指定した場合には、個別要因エリア４０５で指定した該当個別警報発生要因、または当該警報窓に従属する全警報発生要因、または全警報窓に従属する全警報発生要因に対して警報発生回数カウント処理を停止させることも可能である。
なお、開始日、終了日には、時刻、秒までを指定するなども可能となる。
【００２６】
実施の形態３によれば、警報窓単位、または、警報窓内の従属個別警報発生要因単位、または全警報窓の全警報発生要因に対し、予め、警報発生回数のカウント処理を行いたい起点、終点の期日を指定する機能を設けることで、警報発生に対するトレースをより容易に行うことが可能となる。
【００２７】
実施の形態４．
図８は、この発明の実施の形態４による警報表示装置を示すブロック図である。
図８において、図４の構成に、次のものを加えている。警報判定手段１０１に、プラント運転フェーズを判定するプラント運転フェーズ判定手段１０９と、運転フェーズに対応して警報発生回数のカウントを行う運転フェーズ対応警報発生カウント手段１１０と、運転フェーズ対応のカウント情報を保存する運転フェーズ対応警報発生カウント保存手段１１１とを設けている。警報メッセージ表示手段１０２に、運転フェーズ対応警報発生カウンタ値の新旧世代の比較表示を行う運転フェーズ対応警報発生カウント比較表示手段１１２を設けている。さらに、運転フェーズ対応警報発生カウント情報を記憶した運転フェーズ対応警報発生カウント情報記憶部１５４と、運転フェーズ対応発生カウント情報の前世代のものを保存した運転フェーズ対応警報発生カウント前世代保存ファイル１５５とを設けたものである。
【００２８】
図９は、この発明の実施の形態４による警報表示装置の画面表示例を示す図である。
図９において、２００、２０１、２５１は図５におけるものと同一のものである。運転フェーズ対応警報発生カウント比較表示ウィンドウ３０３は、操作選択４０３で呼出される。図９では、警報窓に従属する各警報発生要因の運転フェーズ毎での警報発生回数のカウントの表示について示している。
【００２９】
実施の形態４は、プラント起動操作時、プラント停止操作時、プラント通常運転時の各運転フェーズの切替わり状態を運転フェーズ判定手段１０９で判断し、警報発生回数カウント手段１０４による指定期間での警報発生回数のカウント処理とは別に、運転フェーズ対応警報発生カウント手段１１０にて該当運転フェーズ内での警報発生回数のカウント処理を自動的に行う。
例えば、運転フェーズが、プラント起動操作時から通常運転に切替わる際には、切替わり前のプラント起動操作フェーズで処理した運転フェーズ対応警報発生カウント情報記憶部１５４の情報は、一旦、ファイルとして運転フェーズ対応警報発生カウント前世代保存ファイル１５５に保存し、運転フェーズ対応警報発生カウント情報記憶部１５４をリセットして、次の運転フェーズ対応の警報発生回数のカウント処理を行う。
これにより、警報窓に従属する個別警報発生要因毎に、各運転フェーズでの警報発生頻度の把握が可能であり、警報判定処理の改善に寄与できると共に、前回の同運転フェーズとの比較により、警報判定処理改善による警報発生頻度の状況が把握できる。
【００３０】
図９で、警報窓要因表示の呼び出しボタン選択操作４０１で呼び出された警報窓要因表示ウィンドウ２５１において、操作選択４０２で警報窓を選択し、操作選択４０４で運転フェーズを選択し、選択操作４０３を実行すると、運転フェーズ対応警報発生カウント比較表示ウィンドウ３０３が呼出され、選択した警報窓に従属する警報発生要因に対し、本日分とこれまでの累計による警報発生回数とは別に、選択した運転フェーズにおける各警報発生要因の今回起動時、前回起動時、前々回起動時での警報発生回数を比較表示する。
なお、運転フェーズは、至近のプラント起動時、通常運転時、プラント停止時と前回のプラント起動時、通常運転時、プラント停止時という比較表示も可能となる他、これらの統計管理情報をテキスト形式で保存することも可能となる。
【００３１】
実施の形態４によれば、プラントの運転フェーズに合わせた警報発生状況の提供、及び同運転フェーズにおける前世代の警報発生状況との比較を行うことで、運転操作に直結した警報発生状況、傾向、及び警報判定手段の改善に伴う警報発生頻度の減少効果等の確認が可能となる。
【００３２】
実施の形態５．
図１０は、この発明の実施の形態５による警報表示装置を示すブロック図である。
図１０において、図４の警報発生カウントリセット手段の代わりに、カウント開始のトリガーを指定するトリガー指定手段１１３を設けたものである。
【００３３】
図１１は、この発明の実施の形態５による警報表示装置の画面表示例を示す図である。
図１１において、２００、２０１、２５１は図５におけるものと同一のものである。トリガー設定ウィンドウ３０４は、操作選択４０３で呼出される。図１１では、警報発生回数のカウント開始のトリガーを指定する。
【００３４】
実施の形態５は、オペレータが警報窓に従属する個別警報発生要因毎、または警報窓毎、あるいは全警報窓の全警報発生要因一括での警報発生回数のカウントを行う開始を警報発生要因の発生をトリガーとして指定する。トリガー発生以後の警報発生時のカウント処理を警報発生回数カウント手段１０４で行う。
以降は、実施の形態２と同様の処理を行う。
これにより、特別な警報要因発生以後の警報発生頻度の統計、把握を行うことが可能となる。
【００３５】
図１１で、警報窓要因表示の呼び出しボタン選択操作４０１で呼び出された警報窓要因表示ウィンドウ２５１において、操作選択４０２で警報窓要因を表示させたい警報窓を選択し、トリガー設定ウィンドウ３０４を呼び出すための選択操作４０３を実行すると、選択した警報窓に従属する警報発生要因、及び各警報発生要因毎の警報発生回数のカウント処理を開始させるトリガーの内容とともにトリガー発生以後の警報発生回数をトリガー設定ウィンドウ３０４内に一覧表示する。このように、トリガーの設定により、トリガーが発生した後の警報発生をカウントする。
【００３６】
実施の形態５によれば、警報窓単位、または、警報窓内の従属個別警報発生要因単位、または全警報窓の全警報発生要因に対し、予め、トリガーを指定することにより、例えば特定の警報発生要因の発生後に発生する警報発生要因の個数を正確にカウントすることができ、トリガー発生後のシステムの故障状態を確実に把握することができる。
【００３７】
実施の形態６．
図１２は、この発明の実施の形態６による警報表示装置を示すブロック図である。
図１２において、図４の構成に加えて、警報判定手段１０１に、警報発生カウント数が設定値（所定値）を越えた場合に画面「カウント値オーバー」の表を出力するカウント値オーバー検出手段１１４を設けたものである。
【００３８】
図１３は、この発明の実施の形態６による警報表示装置の画面表示例を示す図である。
図１３において、２００、２０１、２５１は図５におけるものと同一のものである。警報発生カウント値設定ウィンドウ３０５は、操作選択４０３で呼出される。図１３では、警報発生のカウント値オーバーを検出する。
【００３９】
実施の形態６は、オペレータが警報窓に従属する個別警報発生要因毎、または警報窓毎、あるいは全警報窓の全警報発生要因一括での警報発生回数のカウントを行う処理を、警報発生回数カウント手段１０４で行う。
以降は、実施の形態２と同様の処理を行い、設定したカウント値以上に警報発生が起こった場合、カウント値オーバーを検出するカウント値オーバー検出手段１１４にてこれを検出し、画面に「警報発生  異常回数」を表示する。
これにより、一定以上の警報が発生する異常状態を簡単に把握することが可能となる。
【００４０】
図１３で、警報窓要因表示の呼び出しボタン選択操作４０１で呼び出された警報窓要因表示ウィンドウ２５１において、操作選択４０２で警報発生要因を表示させたい警報窓を選択し、警報発生カウント値設定ウィンドウ３０５を呼び出すための選択操作４０３を実行すると、選択した警報窓に従属する警報発生要因、及び各警報発生要因毎の警報発生回数と、カウント値オーバー設定値と、警報発生回数がカウント値オーバー設定値を越えたときの警報表示とを、警報発生カウント値設定ウィンドウ３０５内に一覧表示する。
この設定により、警報がある一定回数以上発生した場合、新たに警報「カウント値オーバー」の警報が発生する。
【００４１】
実施の形態６によれば、警報窓単位、または、警報窓内の従属個別警報発生要因単位、または全警報窓の全警報発生要因に対し、予め、「カウント値オーバー」の設定が可能になり、警報が予定数以上に発生するというシステムの故障状態を確実に早く把握することができる。
【図面の簡単な説明】
【００４２】
【図１】この発明の実施の形態１による警報表示装置を示すブロック図である。
【図２】この発明の実施の形態１による警報表示装置の動作を示すフローチャートである。
【図３】この発明の実施の形態１による警報表示装置の画面表示例を示す図である。
【図４】この発明の実施の形態２による警報表示装置を示すブロック図である。
【図５】この発明の実施の形態２による警報表示装置の画面表示例を示す図である。
【図６】この発明の実施の形態３による警報表示装置を示すブロック図である。
【図７】この発明の実施の形態３による警報表示装置の画面表示例を示す図である。
【図８】この発明の実施の形態４による警報表示装置を示すブロック図である。
【図９】この発明の実施の形態４による警報表示装置の画面表示例を示す図である。
【図１０】この発明の実施の形態５による警報表示装置を示すブロック図である。
【図１１】この発明の実施の形態５による警報表示装置の画面表示例を示す図である。
【図１２】この発明の実施の形態６による警報表示装置を示すブロック図である。
【図１３】この発明の実施の形態６による警報表示装置の画面表示例を示す図である。
【符号の説明】
【００４３】
１０  プラント   、１１  入力装置、２０  計算機、２１  表示装置、
１００  入力手段、１０１  警報判定手段、
１０２  警報メッセージ表示手段、１０３  警報窓表示手段、
１０４  警報発生回数カウント手段、１０６  警報窓要因表示手段、
１０８  警報発生カウント指定期間設定／リセット手段、
１１０  運転フェーズ対応警報発生カウント手段、
１１１  運転フェーズ対応警報発生カウント保存手段、
１１２  運転フェーズ対応警報発生カウント比較表示手段、
１１３  カウント開始トリガー指定手段、１１４  カウント値オーバー検出手段、
１５１  警報情報データベース、１５２  警報発生カウント情報記憶部、
１５３  警報窓要因データベース、
１５４  運転フェーズ対応警報発生カウント情報記憶部、
１５５  運転フェーズ対応警報発生カウント前世代保存ファイル、
２００  警報窓群表示部、２０１  警報メッセージ表示部、
２５１  警報窓要因表示ウィンドウ、３０１  警報窓要因一覧表示ウィンドウ、３０２  指定期間設定ウィンドウ、
３０３  運転フェーズ対応警報発生カウンタ比較表示ウィンドウ、
３０４  トリガー設定ウィンドウ、
３０５  警報発生カウント値設定ウィンドウ。
【図１】
2008046925.tif 000003
【図２】
2008046925.tif 000004
【図３】
2008046925.tif 000005
【図４】
2008046925.tif 000006
【図５】
2008046925.tif 000007
【図６】
2008046925.tif 000008
【図７】
2008046925.tif 000009
【図８】
2008046925.tif 000010
【図９】
2008046925.tif 000011
【図１０】
2008046925.tif 000012
【図１１】
2008046925.tif 000013
【図１２】
2008046925.tif 000014
【図１３】
2008046925.tif 000015